(57)【特許請求の範囲】
【請求項１】
複数の加入者宅側通信装置と光スプリッタ及び光ファイバを介して接続され、該複数の加入者宅側通信装置から時分割の帯域で伝送される上りバースト光信号を受信する受動光網システムの局側通信装置において、
前記加入者宅側通信装置毎にそれぞれの往復伝送遅延時間を測定する往復伝送遅延時間測定部と、
前記往復伝送遅延時間を各加入者宅側通信装置対応の番号に関連付け、時系列的に隣接する上りバースト光信号を送信する二つの異なる加入者宅側通信装置のそれぞれの往復伝送遅延時間の差を、該隣接する上りバースト光信号間のガードタイムに変換し、該ガードタイムをテーブルに格納するバースト間ガードタイム管理部と、
前記時系列的に隣接する上りバースト光信号のうちの後部の上りバースト光信号の送信開始時間として前記ガードタイム分オフセットさせた時間を設定した管理用データを、該バースト光信号を送信する加入者宅側通信装置に通知する上りバースト光信号タイミング制御部と、
を備えたことを特徴とする受動光網システムの局側通信装置。
【請求項２】
前記バースト間ガードタイム管理部は、前記ガードタイムに変換する際に、上りバースト光信号を受信して電気信号に変換するアバランシェフォトダイオードのすそ引き特性を用いることを特徴とする請求項１に記載の受動光網システムの局側通信装置。
【請求項３】
前記加入者宅側通信装置毎に上りバースト光信号のエラーを検出するエラー検出部を備え、前記バースト間ガードタイム管理部は、該加入者宅側通信装置毎の上りバースト光信号のエラーの有無を条件として前記ガードタイムを決定することを特徴とする請求項１又は２に記載の受動光網システムの局側通信装置。
【請求項４】
前記バースト間ガードタイム管理部は、時系列的に隣接する上りバースト光信号を送信する二つの異なる加入者宅側通信装置の全ての組み合わせについて、該上りバースト光信号間のガードタイムを前記テーブルに格納することを特徴とする請求項１乃至３の何れかに記載の受動光網システムの局側通信装置。
【請求項５】
複数の加入者宅側通信装置と光スプリッタ及び光ファイバを介して接続され、該複数の加入者宅側通信装置から時分割の帯域で伝送される上りバースト光信号を受信する受動光網システムの局側通信装置の上りバースト光信号送信タイミング制御方法において、
前記加入者宅側通信装置毎にそれぞれの往復伝送遅延時間を測定し、該往復伝送遅延時間を各加入者宅側通信装置対応の番号に関連付け、時系列的に隣接する上りバースト光信号を送信する二つの異なる加入者宅側通信装置のそれぞれの往復伝送遅延時間の差を、該隣接する上りバースト光信号間のガードタイムに変換し、該ガードタイムをテーブルに格納する過程と、
前記時系列的に隣接する上りバースト光信号のうちの後部の上りバースト光信号の送信開始時間として前記ガードタイム分オフセットさせた時間を設定した管理用データを、該バースト光信号を送信する加入者宅側通信装置に送信する過程と、
を含むことを特徴とする上りバースト光信号送信タイミング制御方法。
【請求項６】
前記ガードタイムに変換する際に、上りバースト光信号を受信して電気信号に変換するアバランシェフォトダイオードのすそ引き特性を用いることを特徴とする請求項５に記載の上りバースト光信号送信タイミング制御方法。
【請求項７】
前記加入者宅側通信装置毎に上りバースト光信号のエラーを検出し、該加入者宅側通信装置毎の上りバースト光信号のエラーの有無を条件として前記ガードタイムを決定することを特徴とする請求項５又は６に記載の上りバースト光信号送信タイミング制御方法。
【請求項８】
時系列的に隣接する上りバースト光信号を送信する二つの異なる加入者宅側通信装置の全ての組み合わせについて、該上りバースト光信号間のガードタイムを前記テーブルに格納することを特徴とする請求項５乃至７の何れかに記載の上りバースト光信号送信タイミング制御方法。
【発明の詳細な説明】
【技術分野】
【０００１】
本発明は、受動光網システムの局側通信装置及び上りバースト光信号送信タイミング制御方法に関し、より詳しくは、複数の加入者宅側通信装置（ＯＮＵ：Ｏｐｔｉｃａｌ  Ｎｅｔｗｏｒｋ  Ｕｎｉｔ）と、光スプリッタを介して１本の光ファイバで接続された局側通信装置（ＯＬＴ：Ｏｐｔｉｃａｌ  Ｌｉｎｅ  Ｔｅｒｍｉｎａｔｏｒ）とから成る受動光網（ＰＯＮ：Ｐａｓｓｉｖｅ  Ｏｐｔｉｃａｌ  Ｎｅｔｗｏｒｋ）システムにおいて、局側通信装置（ＯＬＴ）により加入者宅側通信装置（ＯＮＵ）に対して行う上りバースト光信号送信タイミング制御の技術に関する。
【背景技術】
【０００２】
高速インターネットサービスの普及に伴い、ＩＥＥＥ８０２．３作業部会により標準化されたＧＥ−ＰＯＮ（ＧｉｇａｂｉｔＥｔｈｅｒｎｅｔ（登録商標）−ＰＯＮ）に代表されるより経済的でより高速な光ファイバによるデータ通信サービス（ＦＴＴＨ：Ｆｉｂｅｒ  Ｔｏ  Ｔｈｅ  Ｈｏｍｅ）システムが導入され始めている。
【０００３】
受動光網（ＰＯＮ）システムは、局側通信装置（ＯＬＴ）に接続された１本の光ファイバを光スプリッタにより分岐し、複数の加入者宅側通信装置（ＯＮＵ）と接続し、複数のユーザで１本の光ファイバを共用する伝送方式であるため、ファイバコストを低く抑えることができる。特に、他の通信事業者から光ファイバを賃借してサービスを提供する通信事業者にとって、ファイバ賃借料が大きな負担となるため、通常、収容ユーザ数３２当たり１本のファイバの賃借料で済む受動光網（ＰＯＮ）システムの導入のメリットは大きい。
【０００４】
しかし、受動光網（ＰＯＮ）システムは、光スプリッタを用いることによる分岐点での絶対的な損失が発生する。この損失は分岐数が増えるほど大きくなり、例えば、３２分岐では１７ｄＢほどの固定損失となり、通信事業者はこの固定損失を見込んで装置設計を行わなければならない。このため、通信事業者局舎内に設置する局側通信装置（ＯＬＴ）の光信号受信回路に対して広いダイナミックレンジを確保する必要があり、該光信号受信回路には一般にアバランシェフォトダイオード（ＡＰＤ：Ａｖａｌａｎｃｈｅ  Ｐｈｏｔｏｄｉｏｄｅ）を適用し、微弱光信号の増幅を行うことによって広いダイナミックレンジを確保している。
【０００５】
受動光網（ＰＯＮ）システムでは、ユーザ宅側に設置される複数の加入者宅側通信装置（ＯＮＵ）から時分割の帯域で伝送されるバースト光信号を局側通信装置（ＯＬＴ）で受信することによって上り方向のデータ伝送を実現する。個々のバースト光信号は、加入者宅側通信装置（ＯＮＵ）と局側通信装置（ＯＬＴ）との間の距離に依存して異なる振幅及び位相で受信されるため、局側通信装置（ＯＬＴ）の光信号受信回路は、個々のバースト毎の振幅の補正及び位相同期といった高度な受信技術が求められる。特にＧＥ−ＰＯＮなどのギガビットクラスの受動光網（ＰＯＮ）では、高速なバースト毎の位相同期が必要となる。
【０００６】
このように、局側通信装置（ＯＬＴ）では振幅の異なる加入者宅側通信装置（ＯＮＵ）からのバースト光信号を高感度・高精度で受信する必要がある。一般的に、アバランシェフォトダイオード（ＡＰＤ）を用いた光信号受信回路では、大きい振幅のバースト光信号の受信後に放電に長い時間を要し、バースト信号の消失後も出力端から無視し得ないレベルの出力が現れる特性（すそ引き）があり、このすそ引きが後続の小さな振幅のバースト光信号と重なると、後続のバースト光信号を正しく再生できなくなる。
【０００７】
従来の受動光網（ＰＯＮ）システムでは、局側通信装置（ＯＬＴ）の光信号受信回路において、システム要求を満足するために、すそ引きの少ない特性を有するアバランシェフォトダイオード（ＡＰＤ）を選別し、或いは受信回路の改善によってすそ引きを除去し受信特性を向上させたりしているが、これらの工程は局側通信装置（ＯＬＴ）及びシステム全体の大きなコストアップ要因となる。
【０００８】
本発明に関連する先行技術文献として、下記の特許文献１には、主装置と複数の従装置との間で信号の授受を行うポイント−マルチポイント伝送方式において、各従装置への下り信号の中に従装置の遅延量を指示する遅延量指示信号を設けると共に、各従装置について下り信号に対する基準タイミングを予め設定し、各従装置は該基準タイミングから前記遅延量指示信号に対応する遅延時間後に上り信号を送出する伝送方式について記載されている。
【０００９】
また、下記の特許文献２には、親局と複数の子局との間を結ぶＰＯＮシステムにおいて、親局から各子局に対して、当該送信先の子局のアドレス情報が含まれる下りパケットを時間的に順番に送信し、子局は自局宛てのパケットを受けた時点を基準にして、親局への上りパケットの返信タイミングを得ることで、子局が回線の使用権を得ることを特徴とするＰＯＮシステムについて記載されている。
【特許文献１】特開平４−１８１８３７号公報
【特許文献２】特開２００４−４８４９１号公報
【発明の開示】
【発明が解決しようとする課題】
【００１０】
前述したように、大きい振幅のバースト光信号の受信後のすそ引きに対して、光信号受信回路のアバランシェフォトダイオード（ＡＰＤ）の特性改善によって受信特性の改善を図るといった従来の手法では、受動光網（ＰＯＮ）システムの構築に大きなコストアップを招くという問題があった。本発明は、加入者宅側通信装置（ＯＮＵ）から送信される上りバースト光信号の送信タイミングを適正に制御することで受信特性を改善し、あらゆる特性のアバランシェフォトダイオード（ＡＰＤ）に対しても柔軟に対応可能とすることにより、低コストの受動光網（ＰＯＮ）システムを実現する。
【課題を解決するための手段】
【００１１】
本発明の受動光網システムの局側通信装置は、（１）複数の加入者宅側通信装置と光スプリッタ及び光ファイバを介して接続され、該複数の加入者宅側通信装置から時分割の帯域で伝送される上りバースト光信号を受信する受動光網システムの局側通信装置において、前記加入者宅側通信装置毎にそれぞれの往復伝送遅延時間を測定する往復伝送遅延時間測定部と、前記往復伝送遅延時間を各加入者宅側通信装置対応の番号に関連付け、時系列的に隣接する上りバースト光信号を送信する二つの異なる加入者宅側通信装置のそれぞれの往復伝送遅延時間の差を、該隣接する上りバースト光信号間のガードタイムに変換し、該ガードタイムをテーブルに格納するバースト間ガードタイム管理部と、前記時系列的に隣接する上りバースト光信号のうちの後部の上りバースト光信号の送信開始時間として前記ガードタイム分オフセットさせた時間を設定した管理用データを、該バースト光信号を送信する加入者宅側通信装置に通知する上りバースト光信号タイミング制御部と、を備えたことを特徴とする。
【００１２】
また、（２）前記バースト間ガードタイム管理部は、前記ガードタイムに変換する際に、上りバースト光信号を受信して電気信号に変換するアバランシェフォトダイオードのすそ引き特性を用いることを特徴とする。
【００１３】
また、（３）前記加入者宅側通信装置毎に上りバースト光信号のエラーを検出するエラー検出部を備え、前記バースト間ガードタイム管理部は、該加入者宅側通信装置毎の上りバースト光信号のエラーの有無を条件として前記ガードタイムを決定することを特徴とする。
【００１４】
また、（４）前記バースト間ガードタイム管理部は、時系列的に隣接する上りバースト光信号を送信する二つの異なる加入者宅側通信装置の全ての組み合わせについて、該上りバースト光信号間のガードタイムを前記テーブルに格納することを特徴とする。
【００１５】
また、本発明の上りバースト光信号送信タイミング制御方法は、（５）複数の加入者宅側通信装置と光スプリッタ及び光ファイバを介して接続され、該複数の加入者宅側通信装置から時分割の帯域で伝送される上りバースト光信号を受信する受動光網システムの局側通信装置の上りバースト光信号送信タイミング制御方法において、前記加入者宅側通信装置毎にそれぞれの往復伝送遅延時間を測定し、該往復伝送遅延時間を各加入者宅側通信装置対応の番号に関連付け、時系列的に隣接する上りバースト光信号を送信する二つの異なる加入者宅側通信装置のそれぞれの往復伝送遅延時間の差を、該隣接する上りバースト光信号間のガードタイムに変換し、該ガードタイムをテーブルに格納する過程と、前記時系列的に隣接する上りバースト光信号のうちの後部の上りバースト光信号の送信開始時間として前記ガードタイム分オフセットさせた時間を設定した管理用データを、該バースト光信号を送信する加入者宅側通信装置に送信する過程と、を含むことを特徴とする。
【００１６】
また、（６）前記ガードタイムに変換する際に、上りバースト光信号を受信して電気信号に変換するアバランシェフォトダイオードのすそ引き特性を用いることを特徴とする。
【００１７】
また、（７）前記加入者宅側通信装置毎に上りバースト光信号のエラーを検出し、該加入者宅側通信装置毎の上りバースト光信号のエラーの有無を条件として前記ガードタイムを決定することを特徴とする。
【００１８】
また、（８）時系列的に隣接する上りバースト光信号を送信する二つの異なる加入者宅側通信装置の全ての組み合わせについて、該上りバースト光信号間のガードタイムを前記テーブルに格納することを特徴とする。
【発明の効果】
【００１９】
以上説明したように、各加入者宅側通信装置（ＯＮＵ）との距離に応じた伝送遅延時間情報を利用し、時系列的に隣接した上りバースト光信号間に適正なガードタイムが設定されるよう、各加入者宅側通信装置（ＯＮＵ）に対して上りバースト光信号送信タイミング制御を行なうことにより、アバランシェフォトダイオード（ＡＰＤ）のすそ引き特性等による受信特性の劣化を防ぎ、また、予めアバランシェフォトダイオード（ＡＰＤ）の特性パラメータに応じてガードタイムを設定することにより、あらゆる特性のアバランシェフォトダイオード（ＡＰＤ）に対して柔軟に対応することができ、安価な受動光網（ＰＯＮ）システムを実現することができる。
【発明を実施するための最良の形態】
【００２０】
図１及び図２は本発明による受動光網システムの局側通信装置（ＯＬＴ）の構成を示す。図１及び図２において、１は複数の加入者宅側通信装置（ＯＮＵ）とデータ通信を行う際に、ディジタル符号化された電気信号を光信号に変換（Ｅ／Ｏ）して加入者宅側通信装置（ＯＮＵ）へ送信し、また、複数の加入者宅側通信装置（ＯＮＵ）から時分割の帯域で伝送された上りバースト光信号を受信して増幅し、ディジタル符号化された電気信号に変換（Ｏ／Ｅ）する機能部（Ｅ／Ｏ，Ｏ／Ｅ部）である。
【００２１】
電気信号から光信号への変換（Ｅ／Ｏ）には、例えばレーザダイオードなどの半導体が用いられる。光信号から電気信号への変換（Ｏ／Ｅ）には、例えばフォトダイオードなどの半導体も用いられるが、本発明ではアバランシェフォトダイオード（ＡＰＤ）を用いる。また、受動光網（ＰＯＮ）のような一心伝送システムでは、加入者宅側通信装置（ＯＮＵ）へ光り信号を送信するレーザダイオードと、加入者宅側通信装置（ＯＮＵ）からの光信号を受信するアバランシェフォトダイオード（ＡＰＤ）の駆動波長が異なる場合がある。これら異波長の光信号を一心伝送するための波長分割多重カプラ（ｗａｖｅｌｅｎｇｔｈ−ｄｉｖｉｓｉｏｎ  ｍｕｌｔｉｐｌｅｘｉｎｇ  ｃｏｕｐｌｅｒ）もこのＥ／Ｏ，Ｏ／Ｅ部１に備えられる。
【００２２】
２は分離部であり、例えば半導体ロジック及びランダムアクセスメモリによって構成され、受信データを一時的に格納し、パターン検出回路とセレクタとにより、条件に一致した情報を含むデータの分離を行うもので、前述のＯ／Ｅ部から出力される上り電気信号から、加入者宅側通信装置（ＯＮＵ）毎の上り主信号データ及び後述のＲＴＴ測定部４やＯＮＵ登録部５への管理用データ等の抽出・分離を行う機能部である。
【００２３】
３は多重部であり、例えば半導体ロジック及びランダムアクセスメモリによって構成され、加入者宅側通信装置（ＯＮＵ）毎の下り主信号データ及び後述のＲＴＴ測定部４やＯＮＵ登録部５からの管理用データ等の送出を調停して送信データを時分割タイムスロットに挿入することにより多重化し、該多重化送信データを前述のＥ／Ｏ部へ出力する機能部である。
【００２４】
４はＲＴＴ測定部であり、例えば半導体ロジック及び水晶振動子等から構成され、加入者宅側通信装置（ＯＮＵ）毎の往復伝送遅延時間をタイマ又は時計により測定する機能部である。受動光網（ＰＯＮ）伝送システムでは、通常、加入者宅側通信装置（ＯＮＵ）の登録を行う際に、加入者宅側通信装置（ＯＮＵ）との間で決められた管理用フレームのハンドシェイクを行うことにより、加入者宅側通信装置（ＯＮＵ）毎の往復伝送遅延時間（ＲＴＴ）測定を行う。
【００２５】
５はＯＮＵ登録部であり、一つの局側通信装置（ＯＬＴ）に接続される複数の加入者宅側通信装置（ＯＮＵ）の登録及び登録情報の管理を行う機能部である。受動光網（ＰＯＮ）伝送システムでは、加入者宅側通信装置（ＯＮＵ）の登録を、加入者宅側通信装置（ＯＮＵ）毎にそれぞれ異なるＯＮＵ番号を付与することで行われる。このＯＮＵ番号の付与は、加入者宅側通信装置（ＯＮＵ）との間で決められた管理用フレームのハンドシェイクによって行われ、前述の往復伝送遅延時間（ＲＴＴ）と共に管理される。
【００２６】
６は上りバースト光信号タイミング制御部であり、複数の加入者宅側通信装置（ＯＮＵ）から時分割の帯域で伝送される上りバースト光信号を衝突なく受信するために、各加入者宅側通信装置（ＯＮＵ）に対する送信タイミングの制御を行う機能部である。局側通信装置（ＯＬＴ）は、通常、前述の管理用フレームによって各加入者宅側通信装置（ＯＮＵ）に上りバースト光信号の送信開始時間及び終了時間を指定する。受動光網（ＰＯＮ）伝送システムでは、この送信開始時間及び終了時間は、通常、システムで決められた絶対時間により管理され、前述の往復伝送遅延時間（ＲＴＴ）値による補正を加えることで、複数の加入者宅側通信装置（ＯＮＵ）から時分割の帯域で伝送される上りバースト光信号を衝突なく受信することができる。
【００２７】
７は、バースト間ガードタイム管理部であり、例えば半導体ロジック、中央処理演算部、ランダムアクセスメモリ及び中央処理演算部を制御するソフトウエアによって構成され、前述のＯＮＵ登録部５及びＲＴＴ測定部４からの情報を元に、接続されている全加入者宅側通信装置（ＯＮＵ）の各ＯＮＵ番号について、それぞれ他のＯＮＵ番号の加入者宅側通信装置（ＯＮＵ）との全ての組み合わせに対するガードタイムをテーブルに格納して管理する機能部である。
【００２８】
即ち、二つの異なる加入者宅側通信装置（ＯＮＵ）から時分割の隣接する帯域で送信されるバースト光信号をそれぞれ第１バースト光信号及び第２バースト光信号と称するとすると、全加入者宅側通信装置（ＯＮＵ）の各ＯＮＵ番号について、他のＯＮＵ番号との組み合わせに対してそれぞれ第１バースト光信号及び第２バースト光信号とした場合の往復伝送遅延時間（ＲＴＴ）の差を、全ての組み合わせについて計算し、該往復伝送遅延時間（ＲＴＴ）の差を、第１バースト光信号と第２バースト信号との間に必要なガードタイムに変換し、前述のＯＮＵ番号と共にテーブルとして管理する。
【００２９】
ここで、時分割伝送される上りバースト光信号に対して、時系列的に隣接した帯域で伝送される二つの加入者宅側通信装置（ＯＮＵ）の上りバースト信号のうち、先に伝送される上りバースト信号を第１バースト光信号、後に伝送される上りバースト信号を第２バースト光信号と定義する。第１バースト光信号と第２光バースト信号との往復伝送遅延時間（ＲＴＴ）の差をガードタイムに変換する関数は、前述のファームウェアによりプログラミングされ、前述の中央処理演算装置によって計算され、前述のテーブルに情報として登録される。
【００３０】
また、該ガードタイムに変換する関数の変数として、アバランシェフォトダイオード（ＡＰＤ）の特性パラメータを使用する。これは、図１のＡＰＤ特性パラメータ入力部８によって、使用するアバランシェフォトダイオード（ＡＰＤ）のすそ引き特性等の特性に従って設定する。このアバランシェフォトダイオード（ＡＰＤ）特性パラメータ入力部８は、例えば半導体ロジック、ランダムアクセスメモリによって構成される。
【００３１】
このように、予めアバランシェフォトダイオード（ＡＰＤ）の特性によるパラメータを設定しておき、受動光網（ＰＯＮ）のレンジングフェーズによって得られる加入者宅側通信装置（ＯＮＵ）毎の伝送距離情報を利用して、上りバースト光信号送信タイミング制御を行なうことで、あらゆる特性のアバランシェフォトダイオード（ＡＰＤ）に対しても柔軟に対応することができ、低コストの受動光網（ＰＯＮ）システムを実現することができる。
【００３２】
図２は、図１の構成にエラー検出部９を追加した局側通信装置（ＯＬＴ）である。エラー検出部９は、ＯＮＵ番号単位に上りバースト光信号のエラーを検出する機能部であり、例えば半導体ロジックによって構成され、前述のＥ／Ｏ，Ｏ／Ｅ部１による光信号から電気信号への変換（Ｏ／Ｅ）後のディジタル電気信号による符号に対して、加入者宅側通信装置（ＯＮＵ）との間で決められた規則、例えばＣＲＣ（Ｃｙｃｌｉｃ  Ｒｅｄｕｎｄａｎｃｙ  Ｃｈｅｃｋ）符号等によりエラーを検出する。
【００３３】
エラー検出部９で検出されたエラーの有無をバースト間ガードタイム管理部７に入力し、バースト間ガードタイム管理部７は、ＯＮＵ番号単位の上りバースト光信号のエラーの有無を条件として、第１バースト光信号の受信終了時間と第２バースト光信号の受信開始時間との間に必要なガードタイムを決定する。
【００３４】
図３は、前述のバースト間ガードタイム管理部のテーブル作成例を示す。図３に示す例において、局側通信装置（ＯＬＴ）とＯＮＵ１番の加入者宅側通信装置（ＯＮＵ）との往復伝送遅延時間（ＲＴＴ）は４０ｋｍに相当する時間であり、ＯＮＵ２番の加入者宅側通信装置（ＯＮＵ）との往復伝送遅延時間（ＲＴＴ）は２０ｋｍに相当する時間であり、ＯＮＵ３番の加入者宅側通信装置（ＯＮＵ）との往復伝送遅延時間（ＲＴＴ）は１０ｋｍに相当する時間であり、ＯＮＵ４番の加入者宅側通信装置（ＯＮＵ）との往復伝送遅延時間（ＲＴＴ）は２ｋｍに相当する時間である。
【００３５】
ここで、第１バースト光信号がＯＮＵ１番、第２バースト光信号がＯＮＵ２番のものである組み合わせの場合、往復伝送遅延時間（ＲＴＴ）差は２０ｋｍに相当し、この往復伝送遅延時間（ＲＴＴ）差を元に算定した電力差５ｄＢｍ、ガードタイム１０μｓがテーブルに格納される。また、第１バースト光信号がＯＮＵ１番、第２バースト光信号がＯＮＵ３番の組み合わせの場合、往復伝送遅延時間（ＲＴＴ）差は３０ｋｍに相当し、この往復伝送遅延時間（ＲＴＴ）差を元に算定した電力差７．５ｄＢｍ、ガードタイム２０μｓがテーブルに格納される。
【００３６】
以下、同様に第１バースト光信号と第２バースト光信号の各ＯＮＵ番号の組み合わせについて、往復伝送遅延時間（ＲＴＴ）差を元に算定した電力差及びガードタイムがテーブルに格納される。なお、例えば、第１バースト光信号がＯＮＵ２番、第２バースト光信号がＯＮＵ１番の組み合わせのように、第１バースト光信号を送信する加入者宅側通信装置（ＯＮＵ）が第２バースト光信号を送信する加入者宅側通信装置（ＯＮＵ）より局側通信装置（ＯＬＴ）に近い場合、第２バースト光信号は往復伝送遅延時間（ＲＴＴ）差によって第１バースト光信号に重なることはないので、ガードタイムとして０を格納する。
【００３７】
上りバースト光信号タイミング制御部６は、第２バースト光信号の上り送信要求を行う際に、第１バースト光信号と組み合わされている第２バースト光信号のＯＮＵ番号に対するガードタイムを、バースト間ガードタイム管理部７から取得し、第２バースト光信号の送信開始時間を該ガードタイム分オフセットした時間を第２バースト光信号の送信開始時間として設定した管理用データを、該第２バースト光信号を送信する加入者宅側通信装置（ＯＮＵ）に通知する。
【図面の簡単な説明】
【００３８】
【図１】本発明の受動光網システムの局側通信装置（ＯＬＴ）の構成を示す図である。
【図２】エラー検出部を追加した本発明の局側通信装置（ＯＬＴ）の構成を示す図である。
【図３】本発明によるバースト間ガードタイム管理部のテーブル作成例を示す図である。
【符号の説明】
【００３９】
１  Ｅ／Ｏ，Ｏ／Ｅ部
２  分離部
３  多重部
４  ＲＴＴ測定部
５  ＯＮＵ登録部
６  上りバースト光信号タイミング制御部
７  バースト間ガードタイム管理部
８  ＡＰＤ特性パラメータ入力部
９  エラー検出部
【図１】
0004429988.tif 000002
【図２】
0004429988.tif 000003
【図３】
0004429988.tif 000004